(57)【要約】【課題】洗浄が容易であり、また、濡れたままナイフを収納してもナイフの乾きやすい構造のナイフケースを提供する。【解決手段】エッジ５０３の両側面に各々一つずつ設けられ刃先５０２に一端がありアゴ部５０４に他端があり刃先５０３からアゴ部５０４までほぼエッジ５０３に沿って設けられたエッジ保護部材２，３と、エッジの両側面に各々一つづつ設けられ一端が上記保護部材のアゴ部５０４の一端と各々一体となっており他端が背中５０５に設けられた掛け渡し部材４，５と、上記保護部材２，３の刃先５０２側の一端は保護部材２，３どおしが背中５０５で一体となっており、上記掛け渡し部材４，５の背中５０５側の一端は掛け渡し部材４，５どおしが背中５０５で一体となっている。【選択図】　図１
2004073420.tif 000002
【特許請求の範囲】
【請求項１】
ナイフを保護するナイフケースであって、エッジの両側面に各々一つずつ設けられ刃先に一端がありアゴ部に他端があり刃先からアゴ部までほぼエッジに沿って設けられたエッジ保護部材と、エッジの両側面に各々一つづつ設けられ一端が上記保護部材のアゴ部の一端と各々一体となっており他端が背中に設けられた掛け渡し部材と、上記保護部材の刃先側の一端は保護部材どおしが背中で一体となっており、上記掛け渡し部材の背中側の一端は掛け渡し部材どおしが背中で一体となっていることを特徴とするナイフケース。
【請求項２】
ナイフを保護するナイフケースであって、エッジの両側面にエッジを挟持して両側面に各々一つづつ設けられた棒状の挟持部材と、この挟持部材間をエッジを覆って掛け渡して設けられた複数の保護部材と、上記挟持部材を開閉する開閉部材とからなることを特徴とするナイフケース。
【発明の詳細な説明】
【０００１】
【発明の属する技術分野】
本発明は、ナイフケースに関するものである。
【０００２】
【従来の技術】
一般的に、ナイフケース３００は、図１０に示すよう刃の厚み程度のスリット状の開口部４０１を持った鞘状のケースであり、上記開口部４０１からナイフの先端を挿入し、刃全体を上記ナイフケース４００内に収納するものである。
このナイフケース４００に刃を収納することで、不注意にナイフを触ってしまっても指などを傷つけることがなく、また、落下等によりナイフの刃が破損することも防いでいた。
【０００３】
【発明が解決しようとする課題】
しかしながら、上記の従来技術であるナイフケースは、開口部が刃の厚さ程度のスリットであり、鞘状であるので、刃に付着した汚れがナイフケース内側に付着した場合には汚れの除去に苦労していた。
使用後に水等でナイフを十分に洗浄できる家庭内等での環境でナイフ使用するのであれば問題はないが、屋外等の洗浄する十分な水のない環境での使用の場合は刃の洗浄が不十分となることも多くナイフケースへの収納をためらってしまうものであった。
また、ナイフケースにナイフの刃を収納することは人が傷ついたり、物を破損したり、又は、刃の破損を防ぐのに大きな効果があるが、上記の従来技術のナイフケースは刃のエッジがナイフケースに当接して収納されるため、繰り返して収納及び取り出しを行うとナイフケースとエッジの当接部が摩耗してしまっていた。また、ナイフケースの開口部は、刃の厚み程度のスリット形状のみであり、ナイフの刃が若干濡れた状態で収納を行ったならばとても乾きにくいものであった。本発明は、上記諸点にかんがみてなされたものであって、その目的とするところは、ナイフの刃を傷つけにくい、刃のエッジ以外の部分を外部に露出させることで刃が濡れた状態の収納であっても乾きやすい、また、意匠的にもすぐれたナイフケースを提供することである。
【０００４】
【課題を解決するための手段】
そこで、本発明は、ナイフを保護するナイフケースであって、エッジの両側面に各々一つずつ設けられ刃先に一端がありアゴ部に他端があり刃先からアゴ部までほぼエッジに沿って設けられたエッジ保護部材と、エッジの両側面に各々一つづつ設けられ一端が上記保護部材のアゴ部の一端と各々一体となっており他端が背中に設けられた掛け渡し部材と、上記保護部材の刃先側の一端は保護部材どおしが背中で一体となっており、上記掛け渡し部材の背中側の一端は掛け渡し部材どおしが背中で一体となっていることを特徴とするナイフケースを要旨とするものである。
【０００５】
また、本発明はナイフを保護するナイフケースであって、エッジの両側面にエッジを挟持して両側面に各々一つづつ設けられた棒状の挟持部材と、この挟持部材間をエッジを覆って掛け渡して設けられた複数の保護部材と、上記挟持部材を開閉する開閉部材とからなることを特徴とするナイフケースを要旨とするものである。
【０００６】
【発明の実施の形態】
図１０に示すように一般にナイフ５００は刃の部分と握り５０１の部分からなり、刃の部分は先端の尖った刃先５０２と、切断するエッジ５０３と、握り部５０１付近に設けられたアゴ部５０４と、背中５０５とで構成されている。
以下、本発明の実施の形態を図面に基づいて説明する。本実施形態のナイフケース１は図１及び図２に示すような状態でナイフ５００を収納するもので、ナイフ５００のエッジ５０３を保護するものである。
ナイフケース１は、一端がナイフの刃先５０２に位置し他端がナイフのアゴ部５０４に位置してエッジ５０３の形状にほぼ一致する曲線でエッジ５０３に当接して設けられたエッジ保護部材２（３）と、一端がエッジ保護部材２（３）のアゴ部５０４にある端部と一体となって設けられ他端が背中５０５に位置しほぼ直線でエッジ５０３に当接して設けられた掛け渡し部材４（５）が設けられている。このエッジ保護部材２（３）と掛け渡し部材４（５）が一体となった部材はナイフ５００の刃先５０２、エッジ５０３、アゴ部５０４及び背中５０５で構成される面を対称として反対側にもエッジ保護部材３（２）と掛け渡し部材５（４）として設けられている。
これらエッジ保護部材２，３は刃先５０２側の背中５０５側で一体となっており、また、掛け渡し部材４，５も握り部５０１に近い背中５０５側で一体となっている。
【０００７】
ナイフ５００の刃先５０２付近およびアゴ部５０４付近には、刃先５０２、エッジ５０３、アゴ部５０４、および、背中５０５で囲まれた面の垂直な方向を軸線とした円柱形状の先端貫通孔５０６およびアゴ部貫通孔５０７がそれぞれ設けられている（図２（ｂ）参照）。エッジ保護部材２の刃先５０２付近および掛け渡し部材４のアゴ部５０４付近には、上記と同じ方向を軸線とした円柱形状の先端貫通孔６およびアゴ部貫通孔８がそれぞれ設けられている（図２（ａ）参照）。また、エッジ保護部材３の刃先５０２付近および掛け渡し部材５のアゴ部５０４付近にも上記と同じ方向を軸線とした円柱形状の先端貫通孔７およびアゴ部貫通孔９がそれぞれ設けられている（図２（ｃ）参照）。
先端貫通孔６，７はその円柱形状の貫通孔の中心軸が一致するように設けられており、アゴ部貫通孔８，９もその円柱形状の貫通孔の中心軸が一致するように設けられている。また、ナイフケース１に収納した場合にはナイフ５００に設けられた先端貫通孔５０６とアゴ部貫通孔５０７はそれぞれ先端貫通孔６，７とアゴ部貫通孔８，９に円柱形状の貫通孔の中心軸が一致するような位置に設けられている。
エッジ保護部材２，３の一端と掛け渡し部材４，５の一端がそれぞれ一体となったアゴ部５０４では、エッジ保護部材２と掛け渡し部材４の一体となった側のみに切り欠き１４が設けられている。
【０００８】
エッジ保護部材２，３の刃先５０２側の結合部分は背中５０５の形状に一致する形状で当接するように設けられている（図２（ｂ）参照）。また、掛け渡し部材４，５の背中５０５側の結合部分も背中５０５の形状に一致する形状で当接するように設けられている。
円柱形状の固定ピン１０，１１はそれぞれ先端貫通孔６，７，５０６、および、アゴ部貫通孔８，９，５０６に挿入できるようにこれらの内径とほぼ同じ直径に設けられている。上記貫通孔に挿入した固定ピン１０，１１は先端に突起１２，１３が設けられており（図３参照）これが各貫通孔に引っかかることで容易に抜け落ちることの無いようになっている。
本実施の形態は上記のような構成のナイフケース１である。次に上記ナイフケース１へナイフ５００を収納する手順を図３に基づいて説明する。ナイフ５００の収納はエッジ保護部材２，３間または掛け渡し部材４，５間のスリットにナイフ５００を背中５０５から挿入することにより行う。
【０００９】
まず、エッジ保護部材２，３とエッジ５０３が重なるまで背中５０５をナイフケース１内に挿入する。次に、背中５０５をエッジ保護部材２，３が一体となっている部分、および、掛け渡し部材４，５が一体となっている部分に当接させる。背中５０５と上記結合部分を当接させつつナイフ５００に設けられた先端貫通孔５０６の軸線とナイフケース１に設けられた先端貫通孔６（７）の中心軸を一致させる。さらに、ナイフ５００に設けられたアゴ部貫通孔５０７の中心軸とナイフケース１に設けられたアゴ部貫通孔８（９）の軸線も一致させる。
先端貫通孔６（７），５０６とアゴ貫通孔８（９），５０７の中心軸が一致したら固定ピン１０，１１を上記貫通孔６（７），８（９）に挿入する。固定ピン１０，１１の先端付近には突起１２，１３が設けられており固定ピン１０，１１を挿入した反対側の面から突起１２，１３を突出させることにより固定ピン１０，１１は容易に抜けなくなる。
ナイフケース１の収納は上記の手順で行う。この状態でナイフケース１はナイフ５００と一体となりエッジ５０３を保護するのである。
対称に設けられたエッジ保護部材２，３および掛け渡し部材４，５は切り欠き１４の有無を除いては同一の形状である。切り欠きはエッジ保護部材２と掛け渡し部材４の結合部にのみ設けられており、スリットに段差ができている。この段差はナイフケース１にナイフ５００を容易に収納するために設けられたものである。ナイフケース１とナイフ５００を平行にした状態で、切り欠き１４に背中５０５を当接させつつ切り欠き１４の無い掛け渡し部材５方向に向かってナイフを移動させることで上記スリット内に容易に挿入できるのである。
次に、ナイフケースにかかる本発明の他の実施形態を図４及び図５に基づいて説明する。本実施形態のナイフケース１０１は、一対の挟持部材１２０，１４０でナイフ５００のエッジ５０３を挟み、さらに挟持部材１２０，１４０にまたがって設けられた複数の保護棒１９０でエッジ５０３を保護するものである。
図５に示すように挟持部材１２０（１４０）は細長い四角柱であり一端には回動軸１２１（１４１）が設けられており、他端には係止部材１２２（１４２）が設けられている。また、回動軸１２１（１４１）と係止部材１２２（１４２）の間には複数の保護棒挿入孔１２３（１４３）が設けられている。回動軸１２１（１４１）、係止部材１２２（１４２）及び保護棒挿入孔１２３（１４３）は挟持部材１２０（１４０）の同一面上に設けられており、エッジ５０３を挟んで一対の挟持部材１２０，１４０は上述した面が同じ方向（図中上方向）を向くように配置されている。
回動軸１２１（１４１）は挟持部材１２０（１４０）と一体となって設けられた円柱形状の棒であり、開閉部材１２４（１４４）に設けられた貫通孔１２５（１４５）に挿入するためのものである。
係止部材１２２（１４２）は挟持部材１２０（１４０）と一体となって設けられており、窪んだ溝の凹部１２８（１４８）が挟持部材１２０（１４０）の長手方向と平行に設けられている。
保護棒挿入孔１２３（１４３）は保護棒１９０の両端を挿入するための孔であり、挟持部材１２０（１４０）の保護棒挿入孔１２３（１４３）が設けられた面の垂直から上記面の長手方向と直角の方向に若干の角度を有して設けられている（図６参照）。
開閉部材１２４（１４４）は貫通孔１２５（１４５）、回動つまみ１２６（１４６）、及び、凸部１２７（１４７）が設けられている。
挿入孔１２５（１４５）はここに回動軸１２１（１４１）が挿入できるように設けられたもので、開閉部材１２４（１４４）が回動軸１２１（１４１）を回動中心として回動できるようになっている。
回動つまみ１２６（１４６）はこれに指を添えて回動させることにより開閉部材１２４（１４４）が容易に回動させられるように設けられている。
凸部１２７（１４７）は、挿入孔１２５（１４５）と異なる位置に中心を持った円弧であり挿入孔１２５（１４５）を中心として回動するに従い円弧の直径が連続して変化するいわゆるカムの形状となっている。
開閉部材１２４（１４４）の凸部１２７（１４７）と係止部材１２２（１４２）の凹部１２８（１４８）は嵌合するように設けられており、回動軸１２１（１４１）に挿入された開閉部材１２４（１４４）が使用中に容易に抜けないようになっている。
無限（∞）の記号を中央部で切断した形状のエッジ保護棒１９０は、切断された両端部が接しており、接している端部を広げるとバネのように元に戻るようになっている。このエッジ保護棒１９０は一端が挟持部材１２０に設けられた保護棒挿入孔１２３に挿入されており、他端が挟持部材１４０に設けられた保護棒挿入孔１４３に挿入されている。この複数のエッジ保護棒１９０は一対の挟持部材１２０，１４０に設けられた複数の保護棒挿入孔１２３，１４３に各々挿入されている。ナイフ５００をナイフケース１に収納する場合にはナイフ５００のエッジ５０３は複数のエッジ保護棒１９０の円弧が作る空間内に位置する。
使用中にエッジ５０３と挟持部材１２０，１４０が滑らないように挟持部材１２０，１４０がナイフ５００のエッジ５０３と当接する面には摩擦係数の高い材質の当接部材１２９（１４９）が設けられている。
次に開閉部材１２４の回動による挟持部材１２０，１４０の挟持状態を図７に基づいて説明する。図７は図６のＶＩＩ−ＶＩＩの断面図であり、挟持部材１２０，１４０の一端を表しており、他端を省略したものである。
図７（ａ）は挟持部材１２０，１４０により図示しないエッジ５０３を挟持してナイフ５００の保管又は持ち運びを行う場合の状態を示している。この状態では挟持部材１２０，１４０間に隙間はなく、回動つまみ１２６の長手方向は挟持部材１２０，１４０の長手方向に平行であり保管及び持ち運びに邪魔にならないようになっている。また、開閉部材１２４の凸部１２７は係止部材１４０の凹部１４８に当接しているのみでありお互いに何ら力を与えていない。エッジ保護棒１９０は端部が離れた状態で挿入孔１２３，１４３に挿入されているので復元力により挟持部材１２０，１４０が互いを押した状態で当接させている。
図７（ｂ）は図示しないエッジを挟持部材１２０，１４０間に挿入するため少し開いた状態を示している。開閉部材１２４を図中で時計と反対方向に回転させると凸部１２７はその回転角度により回動軸１２１から凸部１２７の先端までの距離が大きくなり、係止部材１４２の凹部１４８を押す状態となる。上記距離が大きくなっただけ挟持部材１２０，１４０にスリット状の隙間が発生する。
図７（ｃ）は開閉部材１２４を保管の状態の（ａ）から時計と反対方向に９０度回転させた状態であり、この状態で挟持部材１２０，１４０の間が最も開いた状態となる。ここで挟持部材１２０と挟持部材１４０との隙間はナイフ５００のエッジ５０３の厚さよりも大きくなる。
次に、ナイフケース１０１の使用の手順について説明する。上述したとおり、ナイフケース１０１は開閉部材１２４，１４４の回動状態により挟持部材１２０，１４０間の距離が変化する。ナイフ５００をナイフケース１０１に納めるには、挟持部材１２０，１４０によりエッジ５０３が挟持可能となるようにそれぞれの挟持部材１２０，１４０に設けられている回動つまみ１２６，１４６を図中反時計回りに９０度回転させ図７（ｃ）の状態にする。この状態で挟持部材１２０，１４０間には隙間が発生するので、この隙間にエッジ５０３を挿入し、回動つまみ１２６，１４６を時計周りに９０度回転させ図７（ａ）の状態にする。この状態でエッジ５０３は挟持部材１２０，１４０に挟持されナイフ５００は保管可能となるのである。
次に本発明の他の実施例を図８及び図９に基づいて説明する。本実施形態のナイフケース２０１は、一端がナイフの刃先５０２に位置し他端がナイフ５００のアゴ部５０４に位置してエッジ５０３の形状にほぼ一致する曲線で設けられたエッジ保護部材２０２（２０３）と、一端がエッジ保護部材２０２（２０３）のアゴ部５０４にある端部と一体となって設けられ他端が背中５０５に位置しほぼ直線で設けられた掛け渡し部材２０４（２０５）とから構成されている。
このエッジ保護部材２０２（２０３）と掛け渡し部材２０４（２０５）が一体となった部材はナイフ５００の刃先５０２、エッジ５０３、アゴ部５０４及び背中５０５で構成される面を対称として反対側にもエッジ保護部材２０３（２０２）と掛け渡し部材２０５（２０４）として設けられている。これらエッジ保護部材２０２，２０３は刃先５０２側の背中５０５側で一体となっており、掛け渡し部材２０４，２０５も背中５０５側で一体となっており、また、エッジ保護部材２０２，２０３と掛け渡し部材２０４，２０５が一体となったアゴ部５０４で一体となっている。
【００１０】
ナイフ５００のアゴ部５０４には後述するナイフケース２０１の引っ掛かり２１２に引っ掛かる突起５０６が設けられている。ナイフ５００の刃先５０２付近には、刃先５０２、エッジ５０３、アゴ部５０４、および、背中５０５で囲まれた面の垂直な方向を軸線とした円柱形状の先端貫通孔５０６が設けられている（図９（ｂ）参照）。
エッジ保護部材２０２の刃先５０２付近には上記と同じ方向を軸線とした円柱形状の先端貫通孔２０６が設けられている（図９（ａ）参照）。また、エッジ保護部材２０３の刃先５０２付近にも上記と同じ方向を軸線とした円柱形状の先端貫通孔２０７が設けられている（図９（ｃ）参照）。
先端貫通孔２０６，２０７はその円柱形状の貫通孔の中心軸が一致するように設けられている。また、ナイフケース２０１に収納した場合にはナイフ５００に設けられた先端貫通孔５０６は先端貫通孔２０６，２０７に貫通孔の中心軸が一致するような位置に設けられている。
【００１１】
エッジ保護部材２０２，２０３の刃先５０２側の結合部分は背中５０５の形状に一致する形状で当接するように設けられている（図９（ｂ）参照）。また、掛け渡し部材２０４，２０５の背中５０５側の結合部分も背中５０５の形状に一致する形状で当接するように設けられている。
円柱形状の固定ピン２１０は先端貫通孔２０６，２０７，５０６に挿入できるようにこれらの内径とほぼ同じ直径に設けられている。上記貫通孔に挿入した固定ピン２１０は図示しない突起が先端に設けられておりこれが各貫通孔に引っかかることで容易に抜け落ちることの無いようになっている。
【００１２】
本実施の形態は上記のような構成のナイフケース２０１である。次に上記ナイフケース２０１へナイフ５００を収納する手順を図９に基づいて説明する。ナイフ５００の収納は刃先５０２を掛け渡し部材２０４，２０５の間に設けられたスリットに挿入することにより行う。
【００１３】
まず、エッジ保護部材２０２，２０３とエッジ５０３がほぼ重なるまで刃先５０２をナイフケース２０１へ挿入する。おおよその収納が終了したら背中５０５をエッジ保護部材２０２，２０３が一体となっている部分に当接させる。上記の当接をさせつつナイフケース２０１に設けられた引っ掛かり２１２とナイフ５００に設けられた突起５０６を当接させる（図９（ｂ）参照）。
次に、ナイフ５００に設けられた先端貫通孔５０６の軸線とナイフケース２０１に設けられた先端貫通孔２０６（２０７）の中心軸を一致させる。
先端貫通孔２０６（２０７），５０６の中心軸が一致したら固定ピン２１０を上記貫通孔２０６（２０７）に挿入する。固定ピン１０の先端付近には図示しない突起２１２が設けられており固定ピン２１０を挿入した反対側の面から突起２１２を突出させることにより固定ピン２１０は容易に抜けなくなる。
ナイフケース２０１の収納は上記の手順で行う。固定ピン２１０を挿入した状態でナイフケース２０１はナイフ５００と一体となりエッジ５０３を保護するのである。
本発明の実施形態は以上のとおりであるが、種々なる態様をとることは可能である。例えば、図１に示したナイフケース１は断面が四角形状であるが円形であってもよく四角形状にこだわるものではない。また、固定ピン１０，１１の先端付近に突起１２，１３を設けることで固定ピン１０，１１の抜け落ちを防止しているが固定ピン１０，１１はネジ式のものであってもよい、また、固定ピンの紛失防止のために紐や鎖でナイフケース１と一体としてもよい。
また、図５に示した当接部材１２９，１４９は本実施の形態ではエッジ５０３と挟持部材１２０，１４０との摩擦を大きくするために用いられている当接部材１２９，１４９には薄板状の木材を用いているがその材質は薄板状のゴムであってもよく、材質にこだわるものではない。また、設置の方法もこだわるものでなく、例えば、当接部材１２９，１４９が容易にずれないように挟持部材１２０，１４０のエッジ面側を少し窪ませてもよく、また、両面テープを用いてもよい。
【００１４】
【発明の効果】
以上のとおり、本発明のナイフケースは従来の鞘状のナイフケースと異なり棒状の部材で構成されておりナイフの刃の多くの部分が露出するので、十分に洗浄されていないナイフを収納したためにナイフケースが汚れてしまってもケースの洗浄が容易であり、濡れた状態でナイフを収納しても早く乾く。
また、ナイフケースとナイフのエッジが当接しないのでエッジの摩耗を防ぐことができる。
【図面の簡単な説明】
【図１】ナイフケースの斜視図である。
【図２】（ａ）はナイフケースの正面図であり、（ｂ）はナイフケースの図中手前側のエッジ保護部材及び掛け渡し部材を取り去った断面図であり、（ｃ）は図中奥側のエッジ保護部材及び掛け渡し部材のみを表した断面図である。
【図３】ナイフの収納手順の説明図である。
【図４】他の実施形態の斜視図である。
【図５】他の実施形態の斜視図である。
【図６】他の実施形態の断面図である。
【図７】（ａ）は他の実施形態の開閉部材が保管状態の平面図であり、（ｂ）は他の実施形態の開閉部材が回動中の平面図であり、（ｃ）は他の実施形態の開閉部材を回動させ挟持可能状態の平面図である。
【図８】他の実施形態のナイフケースの斜視図である。
【図９】（ａ）は他の実施形態のナイフケースの正面図であり、（ｂ）は他の実施形態のナイフケースの図中手前側のエッジ保護部材及び掛け渡し部材を取り去った断面図であり、（ｃ）は他の実施形態の図中奥側のエッジ保護部材及び掛け渡し部材のみを表した断面図である。
【図１０】従来のナイフケースの説明図である。
【符号の説明】
１，１０１，２０１　ナイフケース
２，３，２０２，２０３　エッジ保護部材
４，５，２０４，２０５　掛け渡し部材
１０，１１，２１０　固定ピン
１２０，１４０　挟持部材
１２２，１４２　係止部材
１２３，１４３　保護棒挿入孔
１２４，１４４　開閉部材
１９０　保護棒
５００　ナイフ
【図１】
2004073420.tif 000003
【図２】
2004073420.tif 000004
【図３】
2004073420.tif 000005
【図４】
2004073420.tif 000006
【図５】
2004073420.tif 000007
【図６】
2004073420.tif 000008
【図７】
2004073420.tif 000009
【図８】
2004073420.tif 000010
【図９】
2004073420.tif 000011
【図１０】
2004073420.tif 000012